(57)【要約】  ガラス板Ｇの切断予定部Ｇｘを一方面側から支持部材３で支持しつつ、他方面上で切断予定部Ｇｘに沿ってカッターホイール４を走行させてスクライブラインＳを形成するにあたり、液体Ｌが塗布された状態の切断予定部Ｇｘの他方面Ｇｃ上をカッターホイール４に走行させると共に、走行中のカッターホイール４の進行方向前方に位置する切断予定部Ｇｘをローラー５によって支持部材３に押し付けるようにした。
2017086198.tif 000002
【特許請求の範囲】
【請求項１】
ガラス板の切断予定部を一方面側から支持部材で支持しつつ、他方面上で前記切断予定部に沿ってカッターホイールを走行させてスクライブラインを形成するガラス板のスクライブ方法であって、
液体が塗布された状態の前記切断予定部の他方面上を前記カッターホイールに走行させると共に、走行中の前記カッターホイールの進行方向前方に位置する前記切断予定部を押付部材によって前記支持部材に押し付けることを特徴とするガラス板のスクライブ方法。
【請求項２】
前記押付部材として、前記カッターホイールに先行して他方面上を前記切断予定部に沿って走行するローラーを用いると共に、走行中の前記ローラーによって前記切断予定部の他方面に前記液体を塗布することを特徴とする請求項１に記載のガラス板のスクライブ方法。
【請求項３】
前記スクライブラインの形成を開始するに際し、前記切断予定部の他方面に先に当接させた前記ローラーにより該切断予定部を前記支持部材に押し付けた後、前記カッターホイールを前記切断予定部の他方面に当接させることを特徴とする請求項２に記載のガラス板のスクライブ方法。
【請求項４】
前記ガラス板の外周端部を除外して前記スクライブラインを形成することを特徴とする請求項１〜３のいずれかに記載のガラス板のスクライブ方法。
【請求項５】
前記ガラス板を縦姿勢とした状態で、前記スクライブラインを上下方向に沿って下方から上方に向かって形成することを特徴とする請求項１〜４のいずれかに記載のガラス板のスクライブ方法。
【請求項６】
前記液体として、大気圧下での沸点が１００℃以下の液体を用いることを特徴とする請求項１〜５のいずれかに記載のガラス板のスクライブ方法。
【請求項７】
前記液体として、アルコールを含んだ液体を用いることを特徴とする請求項１〜６のいずれかに記載のガラス板のスクライブ方法。
【請求項８】
前記液体として、エタノールと水とを含む混合液を用いると共に、前記混合液に含まれるエタノールの割合を５０％以上とすることを特徴とする請求項１〜７のいずれかに記載のガラス板のスクライブ方法。
【請求項９】
前記ガラス板が可撓性を有していることを特徴とする請求項１〜８のいずれかに記載のガラス板のスクライブ方法。
【請求項１０】
ガラス板の切断予定部を一方面側から支持する支持部材と、前記ガラス板の他方面上を前記切断予定部に沿って走行してスクライブラインを形成するカッターホイールとを備えたガラス板のスクライブ装置であって、
前記カッターホイールが通過前の前記切断予定部の他方面に液体を塗布する塗布手段と、走行中の前記カッターホイールの進行方向前方に位置する前記切断予定部を前記支持部材に押し付ける押付部材とを備えることを特徴とするガラス板のスクライブ装置。
【請求項１１】
前記切断予定部の他方面に前記液体を塗布しつつ、前記カッターホイールに先行して他方面上を前記切断予定部に沿って走行するローラーを備え、
前記ローラーが、前記塗布手段と前記押付部材とを兼ねることを特徴とする請求項１０に記載のガラス板のスクライブ装置。
【発明の詳細な説明】
【技術分野】
【０００１】
本発明は、ガラス板の表面上でカッターホイールを走行させることで、ガラス板の切断の起点となるスクライブラインを形成するガラス板のスクライブ方法、及びガラス板のスクライブ装置に関する。
【背景技術】
【０００２】
周知のように、製品ガラス板の製造工程には、これの元となるガラス板を切断する切断工程が含まれることが通例である。そして、ガラス板を切断するための手法の一つとして、折割りによる切断が広く利用されるに至っている。この折割りによる切断では、ガラス板に切断の起点となるスクライブラインを形成した後、スクライブラインの周辺に曲げモーメントを作用させる。これにより、スクライブラインに含まれるメディアンクラックをガラス板の厚み方向に進展させ、ガラス板を切断する。【０００３】
ここで、特許文献１には、ガラス板にスクライブラインを形成するための方法の一例が開示されている。同文献に開示された方法では、ガラス板を一方面側から支持部材（同文献においてはテーブル）で支持しつつ、ガラス板の他方面上で切断予定部（折割りによって切断される部位）に沿ってカッターホイールを走行させることにより、ガラス板にスクライブラインを形成している。
【先行技術文献】
【特許文献】
【０００４】
【特許文献１】特開２０１４−３１２９３号公報
【発明の概要】
【発明が解決しようとする課題】
【０００５】
しかしながら、特許文献１に開示された方法を用いた場合には、下記のような解決すべき問題が生じている。【０００６】
すなわち、ガラス板には、その成形の過程で生じた熱歪の残留等に起因して反りが発生している場合がある。このようなガラス板においては、カッターホイールが走行することになる切断予定部が、反りに起因して支持部材から浮き上がった状態になりやすい。なお、ガラス板の厚みが薄いほど反りは発生しやすいため、ガラス板の薄板化が推進されている現状の下では、とりわけ切断予定部が浮き上がりやすくなっている。【０００７】
そして、切断予定部が浮き上がった状態となると、これに沿って走行中のカッターホイールが跳ねてしまい、ガラス板に均等な深さのスクライブラインを形成することが不可能となる。このため、折割りによる切断の際に、ガラス板の切断端面が蛇行して形成されたり、切断端面にクラックが生じたり、ガラス板に欠けや割れが発生したりすることに起因して、最終的に得られる製品ガラス板の品質が悪化してしまう不具合が発生する。【０００８】
そこで、カッターホイールの跳ねを防止するための対策として、スクライブラインの形成時にカッターホイールがガラス板を押圧する圧力を大きくすることで、支持部材から浮き上がった切断予定部を押え付けて平坦化させることが考えられる。【０００９】
ところが、このような対策を施した場合には、圧力が大きくなった分だけ不可避的にカッターホイールの摩耗が進行しやすくなり、カッターホイールの寿命が短縮されてしまう。換言すれば、均等な深さのスクライブラインを形成し得るカッターホイールの限界の走行距離が短くなる。そのため、カッターホイールを新品に交換する等の対応を頻繁に行う必要が生じ、製造コストが嵩んだり、製造効率が悪化したりする難点があった。【００１０】
上記の事情に鑑みなされた本発明は、ガラス板の切断予定部にスクライブラインを形成するにあたり、これに用いるカッターホイールの摩耗を抑制して、その長寿命化を図ることを技術的課題とする。
【課題を解決するための手段】
【００１１】
上記の課題を解決するために創案された本発明に係る方法は、ガラス板の切断予定部を一方面側から支持部材で支持しつつ、他方面上で切断予定部に沿ってカッターホイールを走行させてスクライブラインを形成するガラス板のスクライブ方法であって、液体が塗布された状態の切断予定部の他方面上をカッターホイールに走行させると共に、走行中のカッターホイールの進行方向前方に位置する切断予定部を押付部材によって支持部材に押し付けることに特徴付けられる。【００１２】
この方法によれば、液体が塗布された状態の切断予定部の他方面上をカッターホイールに走行させることで、カッターホイールの摩耗を抑制することができる。なお、このような効果が得られるのは、走行中のカッターホイールに液体が付着することにより、下記のような作用が得られることに起因しているものと想定される。すなわち、液体がカッターホイールに発生した摩擦熱を抑制する作用や、カッターホイールを洗浄する作用に起因して、カッターホイールの摩耗が抑制されているものと考えられる。また、この方法においては、走行中のカッターホイールの進行方向前方に位置する切断予定部を押付部材によって支持部材に押し付けている。これにより、カッターホイールの進行方向前方では、切断予定部が支持部材に押し付けられて平坦な状態となっている。そして、この平坦化された切断予定部の他方面上をカッターホイールが走行することになる。従って、カッターホイールの跳ねを防止するために、カッターホイールがガラス板を押圧する圧力を大きくするような対策を施す必要がなくなる。その結果、カッターホイールの摩耗を更に抑制することが可能となる。以上のことから、この方法によれば、カッターホイールの摩耗を抑制でき、カッターホイールの長寿命化を図ることが可能である。【００１３】
上記の方法では、押付部材として、カッターホイールに先行して他方面上を切断予定部に沿って走行するローラーを用いると共に、走行中のローラーによって切断予定部の他方面に液体を塗布することが好ましい。【００１４】
このようにすれば、切断予定部を支持部材に押し付ける機能と、切断予定部の他方面に液体を塗布する機能との双方をローラーが備えることになる。そのため、押付部材としてのローラーに加え、切断予定部の他方面に液体を塗布するための塗布手段を別途に準備する必要がなくなる。これにより、スクライブラインの形成に要する設備コストを抑制することが可能となる。また、カッターホイールに先行して走行するローラーによって液体が塗布されることから、ローラーが液体を塗布した後、塗布領域をカッターホイールが通過するまでの時間を可及的に短縮することができる。これにより、液体として揮発性が高いものを用いた場合であっても、液体が揮発する前に塗布領域をカッターホイールに通過させることが可能となる。その結果、カッターホイールに液体を確実に付着させることができる。【００１５】
上記の方法では、スクライブラインの形成を開始するに際し、切断予定部の他方面に先に当接させたローラーにより切断予定部を支持部材に押し付けた後、カッターホイールを切断予定部の他方面に当接させることが好ましい。【００１６】
このようにすれば、カッターホイールが切断予定部の他方面に当接する際には、カッターホイールよりも先に当接させたローラーにより切断予定部が支持部材に押し付けられて平坦な状態となっている。このため、スクライブラインの形成を開始するに際し、カッターホイールが支持部材から浮き上がった切断予定部を支持部材側に押し込んで、切断予定部に過大な圧力が負荷されることを防止できる。これにより、ガラス板に割れが生じる等の不具合の発生を好適に回避することが可能となる。【００１７】
上記の方法では、ガラス板の外周端部を除外してスクライブラインを形成することが好ましい。【００１８】
このようにすれば、ガラス板の外周端部に圧力を負荷した場合、外周端部に含まれたクラック等を起点にガラス板が割れてしまう恐れがある。しかしながら、外周端部を除外してスクライブラインを形成するようにすれば、外周端部上をカッターホイールに走行させる必要が無くなることから、必然的に外周端部に圧力が負荷されることが回避される。そのため、ガラス板が割れてしまう恐れを的確に排除することができる。【００１９】
上記の方法では、ガラス板を縦姿勢とした状態で、スクライブラインを上下方向に沿って下方から上方に向かって形成することが好ましい。【００２０】
このようにすれば、カッターホイールの走行速度を安定させる上で好適となる。例えば、ガラス板を縦姿勢とした状態で、スクライブラインを上下方向に沿って上方から下方に向かって形成する場合に、一定速度でカッターホイールを走行させようとすると、重力の影響を相殺するためにブレーキを掛けながらカッターホイールを走行させる必要がある。しかしながら、本方法のようにスクライブラインを下方から上方に向かって形成すれば、このような必要をなくすことができる。また、下方から上方に向かって形成すれば、上方から下方に向かって形成する場合と比較して、塗布された液体が垂れて、本来あるべき領域から流出してしまうような事態が発生しにくくなる。これにより、液体の塗布領域を確実にカッターホイールに走行させやすくなる。【００２１】
上記の方法において、液体として、大気圧下での沸点が１００℃以下の液体を用いることが好ましい。【００２２】
このようにすれば、液体が高い揮発性を有することになるため、スクライブラインの形成後においても液体が不当にガラス板上に残留し、ガラス板が汚染されるような事態の発生を回避することが可能となる。【００２３】
上記の方法において、液体として、アルコールを含んだ液体を用いることが好ましい。【００２４】
このようにすれば、液体がアルコールを含んでいるため、液体の揮発性をより高めることができる。これにより、ガラス板の汚染を防止する効果を更に向上させることが可能となる。【００２５】
上記の方法において、液体として、エタノールと水とを含む混合液を用いると共に、混合液に含まれるエタノールの割合を５０％以上とすることが好ましい。【００２６】
このようにすれば、混合液に揮発性の高いエタノールが含まれることで、ガラス板の汚染を防止する効果が得られることに加えて、混合液に水が含まれることから、可燃性の高いエタノールの発火等を回避する効果をも得ることができる。なお、混合液に含まれた水によってガラス板が汚染されることが危惧されるが、このような危惧は下記の理由によって的確に排除される。すなわち、混合液に含まれるエタノールの割合が５０％以上であることから、混合液に含まれる水の割合は必然的に５０％以下に抑制されていることになる。このように水の割合を抑制することで、水によるガラス板の汚染は可及的に回避することができる。【００２７】
上記の方法において、ガラス板が可撓性を有していてもよい。【００２８】
可撓性を有するような厚みの薄いガラス板には反りが発生しやすいため、必然的にガラス板の切断予定部が支持部材から浮き上がりやすくなる。そのため、ガラス板が可撓性を有する場合に、切断予定部の浮き上がりを防止できる本発明を適用すれば、その効果を有効に活用することが可能である。【００２９】
また、上記の課題を解決するために創案された本発明に係る装置は、ガラス板の切断予定部を一方面側から支持する支持部材と、ガラス板の他方面上を切断予定部に沿って走行してスクライブラインを形成するカッターホイールとを備えたガラス板のスクライブ装置であって、カッターホイールが通過前の切断予定部の他方面に液体を塗布する塗布手段と、走行中のカッターホイールの進行方向前方に位置する切断予定部を支持部材に押し付ける押付部材とを備えることに特徴付けられる。【００３０】
このような構成によれば、上記のガラス板のスクライブ方法に係る説明で既に述べた事項と同一の作用・効果を得ることが可能である。【００３１】
上記の構成において、切断予定部の他方面に液体を塗布しつつ、カッターホイールに先行して他方面上を切断予定部に沿って走行するローラーを備え、ローラーが、塗布手段と押付部材とを兼ねることが好ましい。【００３２】
このようにすれば、上記のガラス板のスクライブ方法に係る説明で既に述べた事項と同一の作用・効果を得ることが可能である。
【発明の効果】
【００３３】
本発明に係るガラス板のスクライブ方法、及びガラス板のスクライブ装置によれば、ガラス板の切断予定部にスクライブラインを形成するにあたり、これに用いるカッターホイールの摩耗を抑制でき、当該カッターホイールの長寿命化を図ることが可能である。
【図面の簡単な説明】
【００３４】
【図１】本発明の実施形態に係るガラス板のスクライブ装置の概略を示す縦断側面図である。
【図２】図１におけるＡ−Ａ断面を示す横断平面図である。
【図３ａ】本発明の実施形態に係るガラス板のスクライブ装置において、カッターホイール及びローラーの近傍を示す側面図である。
【図３ｂ】本発明の実施形態に係るガラス板のスクライブ装置において、カッターホイール及びローラーの近傍を示す正面図である。
【図４ａ】実施例において、カッターホイールの摩耗の状態を示す図である。
【図４ｂ】比較例において、カッターホイールの摩耗の状態を示す図である。
【図５ａ】実施例において、折割りによる切断後のガラス板の切断端面を示す図である。
【図５ｂ】比較例において、折割りによる切断後のガラス板の切断端面を示す図である。
【図６】本発明の他の実施形態に係るガラス板のスクライブ装置において、カッターホイール及びローラーの近傍を示す正面図である。
【発明を実施するための形態】
【００３５】
以下、本発明の実施形態に係るガラス板のスクライブ装置、及び、このガラス板のスクライブ装置が実行する本発明の実施形態に係るガラス板のスクライブ方法について、添付の図面を参照しながら説明する。
【００３６】
図１及び図２に示すように、ガラス板のスクライブ装置１（以下、スクライブ装置１と表記）は、主たる構成要素として、縦姿勢とされた矩形のガラス板Ｇの上辺部Ｇａを厚み方向に把持する把持部材２と、把持部材２に把持されたガラス板Ｇの切断予定部Ｇｘを一方面Ｇｂ側から支持する支持部材３と、ガラス板Ｇの他方面Ｇｃ上を切断予定部Ｇｘに沿って下方から上方に向かって走行しつつ、切断予定部Ｇｘを押圧してスクライブラインを形成するカッターホイール４と、カッターホイール４に先行して他方面Ｇｃ上を走行しながら切断予定部Ｇｘを支持部材３に押し付けると共に、その回転周部５ａに染み込んだ液体Ｌを切断予定部Ｇｘに塗布するローラー５と、ローラー５の回転周部５ａに対して液体Ｌを補充するための補充装置６と、補充装置６に液体Ｌを供給するための供給装置７とを備えている。
【００３７】
このスクライブ装置１においては、ローラー５単体が、切断予定部Ｇｘを支持部材３に押し付ける押付部材としての機能と、切断予定部Ｇｘに液体Ｌを塗布する塗布手段としての機能とを兼ね備えている。なお、切断予定部Ｇｘに塗布する液体Ｌとしては、大気圧下での沸点が１００℃以下の液体を使用している。このような液体Ｌの例としては、メタノール、エタノール、１−プロパノール、２−プロパノール、２−ブタノール、２−メチル−２−プロパノール等のアルコールや、これらのアルコールを含んだ液体を挙げることができ、一つの具体例としては、エタノールと水とを混合した混合液を挙げることができる。このエタノールと水との混合液を液体Ｌとして使用する場合には、混合液に含まれるエタノールの割合を５０％以上とする。
【００３８】
ガラス板Ｇは、スクライブ装置１の上方に配置された成形装置（図示省略）がダウンドロー法によって成形し、成形装置から降下してきた長尺なガラスリボンを所定の長さ毎に切断して切り出したものである。このガラス板Ｇは、最終的に得られる製品ガラス板には不要となる非有効部Ｇｙを幅方向（図１では紙面に対して鉛直な方向、図２では左右方向）の両端にそれぞれ備えると共に、両非有効部Ｇｙの間に製品ガラス板となる有効部Ｇｚを備えている。そして、両非有効部Ｇｙのうち、一方側の非有効部Ｇｙと有効部Ｇｚとの境界、及び他方側の非有効部Ｇｙと有効部Ｇｚとの境界が、それぞれ上下方向に沿って延びる切断予定部Ｇｘをなしている。スクライブ装置１は、ガラスリボンから順々に切り出されたガラス板Ｇに対し、二つの切断予定部Ｇｘの各々にスクライブラインを形成する構成とされている。また、ガラス板Ｇは、例えば２００μｍ〜２０００μｍの範囲内の厚みに成形されており、可撓性を有している。なお、ガラス板Ｇには、その成形の過程で生じた熱歪の残留等に起因して反りが発生している。
【００３９】
把持部材２は、図１に矢印Ｂ‐Ｂで示すように、ガラス板Ｇの厚み方向に沿って開閉するチャック部２ａを備えており、チャック部２ａの開閉に伴ってガラス板Ｇの把持、及びその解除を行うことが可能となっている。この把持部材２は、以下の（１）〜（４）の動作を繰り返し実行するように構成されている。
【００４０】
（１）ガラスリボンから切り出されたガラス板Ｇがスクライブラインを形成するための形成領域（図１においてガラス板Ｇが位置している領域）に搬入されると、チャック部２ａを閉じてガラス板Ｇを把持する。（２）スクライブラインの形成の開始から終了までの間、ガラス板Ｇを把持した状態を維持する。（３）ガラス板Ｇへのスクライブラインの形成が終了すると、ガラス板Ｇを形成領域から移送するための移送装置（図示省略）のチャック（図示省略）にガラス板Ｇを把持させた後、把持部材２自身はチャック部２ａを開いてガラス板Ｇの把持を解除する。これにより、把持部材２から移送装置にガラス板Ｇが受け渡される。なお、移送装置は、折割りによる切断を行うための切断領域（図示省略）にガラス板Ｇを移送した後、折割装置（図示省略）にガラス板Ｇを受け渡す。（４）ガラス板Ｇの把持を解除した後、新たにガラスリボンから切り出されたガラス板Ｇが形成領域に搬入されるまで待機する。
【００４１】
支持部材３は、切断予定部Ｇｘの上下方向に沿った全長を支持することが可能であると共に、図１に矢印Ｃ‐Ｃで示すように、ガラス板Ｇに対して接近及び離反するように移動することが可能となっている。また、支持部材３は、切断予定部Ｇｘと当接する部位が弾性部材３ａで構成されており、支持部材３との当接に起因してガラス板Ｇの一方面Ｇｂに傷が発生することを弾性部材３ａが防止している。弾性部材３ａとしては、例えばゴム板を使用することができる。上記の支持部材３は、以下の（５）〜（８）の動作を繰り返し実行するように構成されている。
【００４２】
（５）形成領域に搬入されたガラス板Ｇが把持部材２によって把持されると、ガラス板Ｇに一方面Ｇｂ側から接近して切断予定部Ｇｘに当接し、当該切断予定部Ｇｘを支持する。なお、図２に示すように、支持部材３は、非有効部Ｇｙと有効部Ｇｚとの両部に跨った状態で切断予定部Ｇｘを支持する。（６）スクライブラインの形成の開始から終了までの間、切断予定部Ｇｘを支持した状態を維持する。（７）スクライブラインの形成が終了すると、ガラス板Ｇから離反して切断予定部Ｇｘの支持を解除する。（８）切断予定部Ｇｘの支持を解除した後、新たなガラス板Ｇが形成領域に搬入されるまで待機する。
【００４３】
カッターホイール４及びローラー５の両者は、相互間の間隔Ｄが一定に維持された状態で共にカッターユニット８に保持されている。これにより、スクライブラインを形成する際には、カッターホイール４及びローラー５が、同期してガラス板Ｇの他方面Ｇｃ上を一体的に走行することが可能となっている。ここで、以下の（ａ）及び（ｂ）の目的を達成するため、カッターホイール４とローラー５との相互間の間隔Ｄは、１００ｍｍ以下とすることが好ましく、５０ｍｍ以下とすることがより好ましい。（ａ）ローラー５によって切断予定部Ｇｘに塗布された液体Ｌが揮発する前に、液体Ｌの塗布領域をカッターホイール４に通過させる。（ｂ）ローラー５により支持部材３に押し付けられて平坦な状態となった切断予定部Ｇｘが、カッターホイール４の通過前に支持部材３から再び浮き上がることを防止する。
【００４４】
カッターユニット８は、カッターホイール４と連結された第一シリンダー機構９と、ローラー５と連結された第二シリンダー機構１０とを内蔵している。また、第二シリンダー機構１０には、その内圧を調節するためのレギュレーター１１が接続されている。カッターホイール４が切断予定部Ｇｘを押圧する荷重は、第一シリンダー機構９の内圧の大小によって決定される。この荷重の大きさは、３Ｎ〜８Ｎの範囲内とすることが好ましい。また、ローラー５が切断予定部Ｇｘを支持部材３に押し付ける荷重は、レギュレーター１１により第二シリンダー機構１０の内圧を調節することで決定される。この荷重の大きさは、３Ｎ〜１５Ｎの範囲内とすることが好ましい。さらに、レギュレーター１１によって第二シリンダー機構１０の内圧を変化させることで、図１に矢印Ｅ‐Ｅで示すように、ローラー５は、カッターホイール４とは独立して前進動作、及び後退動作を行うことが可能となっている。これにより、ローラー５の位置を、カッターホイール４よりもガラス板Ｇ側に突出した位置、或いは、反ガラス板Ｇ側に退避した位置に移動させることが可能となっている。
【００４５】
ローラー５は、図２に示すように、非有効部Ｇｙと有効部Ｇｚとの両部に跨った状態で切断予定部Ｇｘを支持部材３に押し付け、且つ、液体Ｌを塗布するように構成されている。軸線５ｂを中心に回転するローラー５の回転周部５ａには、常に液体Ｌが染み込んだ状態となっている。この回転周部５ａは、吸水性及び保水性に優れ、且つ、アスカーＦ硬度が４０〜１００（より好ましくは、７０〜９５）である材質で構成することが好ましく、例えば、多数の微細気孔を備えたポリウレタンフォームや、ポリイミド発泡体、メラミン樹脂発泡体、ポリアミドフォーム、メタアラミド繊維等の耐熱繊維の不織布等で構成することができる。また、回転周部５ａの幅Ｈ（ガラス板Ｇの他方面Ｇｃと当接する幅）は、３ｍｍ〜３０ｍｍとすることが好ましく、５ｍｍ〜１５ｍｍとすることがより好ましい。回転周部５ａの幅Ｈが小さすぎると、液体Ｌの塗布領域から外れてカッターホイール４が走行する恐れがある。一方、回転周部５ａの幅Ｈが大きすぎると、有効部Ｇｚへの液体Ｌの付着量が多くなり、有効部Ｇｚが汚れやすい。なお、ローラー５は、フリーローラーである。
【００４６】
上記のカッターユニット８は、以下の（９）〜（１１）の動作を繰り返し実行するように構成されている。
【００４７】
（９）切断予定部Ｇｘが支持部材３に支持された後、ガラス板Ｇに他方面Ｇｃ側から接近し、保持したカッターホイール４及びローラー５を切断予定部Ｇｘに当接させる。このとき、第二シリンダー機構１０の内圧の調節により、保持したローラー５をカッターホイール４よりもガラス板Ｇ側に突出させた状態でガラス板Ｇに接近し、ローラー５をカッターホイール４よりも先に切断予定部Ｇｘに当接させる。つまり、予めローラー５により切断予定部Ｇｘを支持部材３に押し付けて平坦にした後で、カッターホイール４を切断予定部Ｇｘに当接させている。これにより、スクライブラインの形成を開始するに際し、カッターホイール４が支持部材３から浮き上がった切断予定部Ｇｘを支持部材３側に押し込んで、切断予定部Ｇｘに過大な圧力が負荷されることを防止している。ここで、ローラー５がカッターホイール４よりもガラス板Ｇ側に突出した突出寸法は、０．５ｍｍ〜５ｍｍの範囲内とすることが好ましい。カッターホイール４が切断予定部Ｇｘに当接した位置は、スクライブラインの始端となる。なお、本実施形態では、ガラス板Ｇの下辺部Ｇｄから上方に離間した位置をスクライブラインの始端としている。
【００４８】
（１０）カッターホイール４及びローラー５が切断予定部Ｇｘに当接すると、第一シリンダー機構９及び第二シリンダー機構１０の内圧を一定に保った状態で、図１に矢印Ｆで示すように上昇移動を開始する。この上昇移動に伴って、図３ａに示すように、走行中のカッターホイール４の進行方向前方において、ローラー５が切断予定部Ｇｘを支持部材３に押し付ける。また、図３ｂに示すように、ローラー５の回転周部５ａに染み込んだ液体Ｌが切断予定部Ｇｘに塗布される。そして、ローラー５に後続して液体Ｌの塗布領域（同図にクロスハッチングを施した領域）をカッターホイール４が走行する。これにより、切断予定部Ｇｘに沿ってスクライブラインＳが形成される。なお、本実施形態では、ガラス板Ｇの上辺部Ｇａから下方に離間した位置をスクライブラインＳの終端としている。つまり、本実施形態では、ガラス板Ｇの外周端部の一部をなす上辺部Ｇａ及び下辺部Ｇｄを除外してスクライブラインＳを形成している。
【００４９】
（１１）スクライブラインの形成が終了すると、図１に二点鎖線（想像線）で示すように、ガラス板Ｇから離間するように移動した後、停止する。そして、停止中に補充装置６からローラー５の回転周部５ａに対する液体Ｌの補充を受けて、回転周部５ａに液体Ｌを染み込ませる。液体Ｌの補充が完了すると、下降移動して新たなガラス板Ｇが形成領域に搬入されるまで待機する。
【００５０】
補充装置６は、定点に固定して設置されると共に、ローラー５の回転周部５ａに向けて上方から液体Ｌを噴霧することにより、回転周部５ａに液体Ｌを補充するように構成されている。この補充装置６としては、例えば電磁弁等を使用することができる。補充装置６が回転周部５ａに向けて液体Ｌを噴霧する時間、及び噴霧する液体Ｌの量は、任意に設定することが可能となっている。
【００５１】
供給装置７は、液体Ｌを貯留するタンク状の構成を有すると共に、液体Ｌの流路１２を介して補充装置６と接続されている。また、供給装置７は、空気Ｋの流路１３とも接続されており、流路１３を通じて供給装置７に流入した空気Ｋの圧力により、流路１２を通じて液体Ｌを補充装置６に送り出すことが可能となっている。なお、流路１２及び流路１３としては、例えばホース等を用いることができる。
【００５２】
以下、上記のスクライブ装置１が実行する本発明の実施形態に係るガラス板のスクライブ方法について、その主たる作用・効果を説明する。
【００５３】
このガラス板のスクライブ方法によれば、液体Ｌが塗布された状態の切断予定部Ｇｘの他方面Ｇｃ上をカッターホイール４が走行することにより、カッターホイール４の摩耗を抑制することができる。また、走行中のカッターホイール４の進行方向前方に位置する切断予定部Ｇｘをローラー５によって支持部材３に押し付けることで、平坦な状態となった切断予定部の他方面Ｇｃ上をカッターホイール４に走行させることが可能である。これにより、走行中のカッターホイール４の跳ねを防止するために、カッターホイール４がガラス板Ｇを押圧する圧力を大きくするような対策を施す必要がなくなる。従って、カッターホイール４の摩耗を更に抑制することができる。以上のことから、カッターホイール４の長寿命化を図ることが可能である。
【実施例】
【００５４】
本発明の実施例及び比較例として、下記の条件（実施例と比較例との各々について１条件ずつ）の下でガラス板にスクライブラインを形成し、これに用いたカッターホイールの摩耗の状態について検証を行った。【００５５】
まず、実施例におけるスクライブラインの形成条件について説明する。【００５６】
実施例においては、上記の実施形態と同一の態様によってガラス板にスクライブラインを形成した。スクライブラインの形成の対象としたガラス板は、日本電気硝子社製のガラス板（製品名：ＯＡ−１０Ｇ）である。ガラス板の寸法（上下寸法×幅寸法×厚み寸法）は、２５８０ｍｍ×２２６０ｍｍ×０．５ｍｍである。使用したカッターホイールは、ダイヤモンドチップ（直径：３ｍｍ、刃先角度：１２５°）である。ローラーとしては、ロール形状のポリウレタンフォーム（アスカーＦ硬度：８１、気孔率：８０％、引張強度１．５ＭＰａ）を使用した。このローラーの回転周部の幅（ガラス板の他方面と当接する幅）は、８ｍｍである。液体としては、エタノール（沸点：７８．３℃）を使用した。【００５７】
カッターホイールが切断予定部を押圧する荷重は、４Ｎで一定とした。ローラーが切断予定部を支持部材に押し付ける荷重は、７Ｎとした。スクライブラインは、ガラス板の下辺部から１５ｍｍ上方に離間した位置を始端とし、ガラス板の上辺部から１５ｍｍ下方に離間した位置を終端として形成した。カッターホイール及びローラーが切断予定部に沿って下方から上方に向かって走行する速度は、３００ｍｍ／ｓとした。カッターホイールとローラーとの相互間の間隔は、３０ｍｍとした。以上の条件の下で、カッターホイール（新品）を交換することなく多数枚のガラス板に対して連続的にスクライブラインを形成し続けた。【００５８】
次に、比較例におけるスクライブラインの形成条件について説明する。なお、比較例における形成条件の説明では、上記の実施例における形成条件と相違する点についてのみ説明する。【００５９】
比較例においては、ガラス板のスクライブ装置からローラーを取り除いた。つまり、ローラーによる切断予定部の支持部材への押し付け、及び、ローラーによる切断予定部への液体の塗布を実行しなかった。また、カッターホイールが切断予定部を押圧する荷重の初期値を、上記の実施例と同一の値である４Ｎとした。そして、この圧力の下でスクライブラインの形成を開始して、均等な深さのスクライブラインの形成が不可能となった場合、その度に荷重を１Ｎずつ大きくした。以上の条件の下で、カッターホイール（新品）を交換することなく多数枚のガラス板に対して連続的にスクライブラインを形成し続けた。【００６０】
図４ａは、実施例において、スクライブラインを形成し続けた結果、その総走行距離が約６００ｋｍに達したカッターホイールの刃先を拡大して示す図である。一方、図４ｂは、比較例において、スクライブラインを形成し続けた結果、その総走行距離が約１０ｋｍに達したカッターホイールの刃先を拡大して示す図である。これらの図を比較すると、実施例においては、比較例に対してカッターホイールの総走行距離が約６０倍に達しているにも関わらず、刃先の摩耗が比較例よりも抑制されていることが分かる。【００６１】
図５ａは、実施例において、総走行距離が約６００ｋｍに達したカッターホイールによりスクライブラインを形成した後、折割りによって切断したガラス板の切断端面を示す図である。一方、図５ｂは、比較例において、総走行距離が約１０ｋｍに達したカッターホイールによりスクライブラインを形成した後、折割りによって切断したガラス板の切断端面を示す図である。これらの図を比較すると、比較例では、切断端面にクラックが発生しているのに対し、実施例では、クラックの無い綺麗な切断端面が得られていることが分かる。このことは、実施例では、カッターホイールの総走行距離が比較例の約６０倍に達した時点においても、均等な深さのスクライブラインの形成が可能であったことを示唆している。【００６２】
上記の実施例と比較例との結果から、本発明に係るガラス板のスクライブ装置、及びガラス板のスクライブ方法によれば、ガラス板の切断予定部にスクライブラインを形成するにあたり、これに用いるカッターホイールの摩耗を抑制でき、当該カッターホイールの長寿命化を図ることが可能となるものと推認される。【００６３】
ここで、本発明に係るガラス板のスクライブ方法、及び、ガラス板のスクライブ装置は、上記の実施形態で説明した態様、構成に限定されるものではない。上記の実施形態においては、ローラー単体が、切断予定部を支持部材に押し付ける押付部材としての機能と、切断予定部に液体を塗布する塗布手段としての機能とを兼ね備えているが、押付部材と塗布手段とを別々に設けるようにしてもよい。例えば、図６に示すように、ローラー５を押付部材としてのみ機能させると共に、切断予定部Ｇｘが延びる方向と平行に移動しつつ、液体Ｌを噴霧することで切断予定部Ｇｘに液体Ｌを塗布するノズル１４を別途に塗布手段として設けてもよい。なお、図６で示す形態では、ノズル１４が、走行中のローラー５及びカッターホイール４の相互間に位置する切断予定部Ｇｘに向けて液体Ｌを噴霧しているが、ローラー５の進行方向前方に位置する切断予定部Ｇｘに向けて液体Ｌを噴霧するようにしてもよい。さらに、押付部材としては、必ずしもローラーを用いる必要はなく、走行中のカッターホイールの進行方向前方に位置する切断予定部を支持部材に押し付けることが可能なものであれば、ローラーに代用することができる。【００６４】
また、上記の実施形態においては、スクライブラインを上下方向に沿って形成（詳細には下方から上方に向かって形成）しているが、この限りではない。例えば、ガラス板の幅方向に沿ってスクライブラインを形成する場合にも、本発明を適用することが可能である。一つの具体例を挙げると、ダウンドロー法を実行する成形装置から降下中のガラスリボン（帯状のガラス板）に対し、その幅方向に沿ってスクライブラインを形成する場合に、本発明を適用することが可能である。この場合、ローラーの回転周部は、耐熱繊維（メタアラミド繊維等）の不織布で構成することが好ましい。この理由としては、ガラスリボンの熱による回転周部の劣化を可及的に抑制するためである。【００６５】
また、上記の実施形態においては、スクライブラインの形成を一回終了する度に、補充装置からローラーの回転周部に対して液体の補充を行っているが、これに限定されるものではない。スクライブラインの形成が所定の回数（複数回）終了する毎に、補充装置からローラーの回転周部に対して液体の補充を行うようにしてもよい。
【符号の説明】
【００６６】
１          ガラス板のスクライブ装置
３          支持部材
４          カッターホイール
５          ローラー（押付部材）
１４        ノズル
Ｇ          ガラス板
Ｇｂ        一方面
Ｇｃ        他方面
Ｇｘ        切断予定部
Ｓ          スクライブライン
Ｌ          液体
【図１】
2017086198.tif 000003
【図２】
2017086198.tif 000004
【図３ａ】
2017086198.tif 000005
【図３ｂ】
2017086198.tif 000006
【図４ａ】
2017086198.tif 000007
【図４ｂ】
2017086198.tif 000008
【図５ａ】
2017086198.tif 000009
【図５ｂ】
2017086198.tif 000010
【図６】
2017086198.tif 000011
【国際調査報告】
2017086198.tif 000012
2017086198.tif 000013
2017086198.tif 000014
2017086198.tif 000015